【手続補正書】
【提出日】平成24年7月20日(2012.7.20)
【手続補正１】
【補正対象書類名】特許請求の範囲
【補正対象項目名】全文
【補正方法】変更
【補正の内容】
【特許請求の範囲】
【請求項１】
被写体の輝度情報のうち高輝度情報と低輝度情報とにより得られた輝度差に、所定の係数ｋ(ただし０＜ｋ＜１)を乗算して得られた値に相当する段差を有した露出制御値の範囲を設定し、撮像手段を用いて前記露出制御値の範囲内で異なる各露出制御値に設定された複数回の撮像を行うように制御する撮像制御手段と、
前記複数回の撮像により前記撮像手段で得られた複数の撮像画像から抽出される画像部分を合成し、合成画像を生成する画像合成手段と、
を備えており、
前記露出制御値の範囲内には、前記複数回の撮像が１回の撮像であった場合に当該１回の撮影で設定される１の露出制御値が含まれる撮像装置。
【請求項２】
前記１の露出制御値は、前記被写体の輝度情報に基づき所定の露出演算により算出される適正露出値であり、
前記撮像制御手段は、
前記撮像手段に係る露光時間と絞り機構に係る絞り値との関係が規定されたプログラム線図から前記１の露出制御値に応じた絞り値を求め、当該絞り値を前記複数回の撮像で固定的に保持される基準の絞り値として設定する絞り値設定手段と、
前記各露出制御値と前記基準の絞り値とに基づき、前記複数回の撮像においての各露光時間を設定する露光時間設定手段と、
を有する請求項１記載の撮像装置。
【請求項３】
操作入力を受け付ける入力手段と、
前記入力手段に対する操作入力に基づき、絞り機構に係る絞り値を指定する指定手段と、
をさらに備え、
前記撮像制御手段は、
前記指定手段で指定される絞り値を、前記複数回の撮像で固定的に保持される基準の絞り値として設定する絞り値設定手段と、
前記各露出制御値と前記基準の絞り値とに基づき、前記複数回の撮像においての各露光時間を設定する露光時間設定手段と、
を有する請求項１記載の撮像装置。
【請求項４】
操作入力を受け付ける入力手段と、
前記入力手段に対する操作入力に基づき、前記撮像手段に係る露光時間を指定する指定手段と、
をさらに備え、
前記撮像制御手段は、
前記各露出制御値のうち最も明るい撮像画像が得られる露出制御値において前記指定手段で指定される露光時間に応じた絞り値を求め、当該絞り値を前記複数回の撮像で固定的に保持される基準の絞り値として設定する絞り値設定手段と、
前記各露出制御値と前記基準の絞り値とに基づき、前記複数回の撮像においての各露光時間を設定する露光時間設定手段と、
を有する請求項１記載の撮像装置。
【請求項５】
操作入力を受け付ける入力手段と、
前記入力手段に対する操作入力に基づき、絞り機構に係る絞り値と前記撮像手段に係る露光時間とを指定する指定手段と、
をさらに備え、
前記撮像制御手段は、
前記指定手段で指定される絞り値と露光時間とから得られた露出制御値を、前記各露出制御値のうち最も明るい撮像画像が得られる露出制御値に設定する手段と、
前記指定手段で指定される絞り値を、前記複数回の撮像で固定的に保持される基準の絞り値として設定する絞り値設定手段と、
前記各露出制御値と前記基準の絞り値とに基づき、前記複数回の撮像においての各露光時間を設定する露光時間設定手段と、
を有する請求項１記載の撮像装置。
【請求項６】
所定の測光範囲のうちの特定のスポット領域を重点的に測光して前記被写体の輝度情報を取得するスポット測光手段を、
さらに備え、
前記撮像制御手段は、
前記スポット測光手段で取得された輝度情報に基づき所定の露出演算により算出される適正露出値を前記１の露出制御値として設定する手段、
を有する請求項１記載の撮像装置。
【請求項７】
前記複数回の撮像は、３回以上の撮像であり、
前記３回以上の撮像には、前記被写体の輝度情報に基づき所定の露出演算により算出される適正露出値での撮像が含まれる請求項１記載の撮像装置。
【請求項８】
所定の測光範囲を分割して測光する所定数の測光セルを備え、前記被写体の輝度情報として前記所定数の測光セルそれぞれから測光値の出力が可能な測光手段と、
前記高輝度情報と低輝度情報とに基づき前記輝度差を検出する検出手段と、
をさらに備え、
前記検出手段は、
前記測光手段で得られる被写体の輝度情報に基づき、前記被写体に係る輝度の差を検知する輝度差検知手段と、
前記所定数の測光セルのうち前記測光値が所定の閾値以上となる測光セルの数を検知するセル数検知手段と、
前記セル数検知手段の検知結果に基づき前記測光値が前記所定の閾値未満となる測光セルがある場合には、前記セル数検知手段で検知される前記測光セルの数に応じて設定される重み付け係数により、前記輝度差検知手段で検知される前記輝度の差と所定の輝度差とに関する重み付け演算を行い、当該重み付け演算の結果を前記被写体に係る輝度差に設定する輝度差設定手段と、
を有し、
前記撮像制御手段では、前記輝度差設定手段で設定された輝度差に前記所定の係数ｋを乗算して得られた値に相当する段差を有した露出制御値の範囲が設定される請求項１記載の撮像装置。
【請求項９】
前記重み付け演算では、前記セル数検知手段で検知される前記測光セルの数が多いほど前記輝度差検知手段で検知される輝度の差の、前記所定の輝度差に対する重み付けを増加させる一方、前記セル数検知手段で検知される前記測光セルの数が少ないほど前記輝度差検知手段で検知される輝度の差の、前記所定の輝度差に対する重み付けを減少させる請求項８に記載の撮像装置。
【請求項１０】
前記重み付け演算では、前記セル数検知手段で検知される前記測光セルの数と、前記測光手段で得られる被写体の輝度値とに応じた重み付け係数が設定される請求項８に記載の撮像装置。
【請求項１１】
被写体の輝度情報のうち高輝度情報と低輝度情報とにより得られた輝度差に、所定の係数ｋ(ただし０＜ｋ＜１)を乗算して得られた値に相当する段差を有した露出制御値の範囲を設定し、撮像手段を用いて前記露出制御値の範囲内で異なる各露出制御値に設定された複数回の撮像を行うように制御する撮像制御工程を、
を備えており、
前記露出制御値の範囲内には、前記複数回の撮像が１回の撮像であった場合に当該１回の撮影で設定される１の露出制御値が含まれる撮像制御方法。
【請求項１２】
被写体の輝度情報のうち高輝度情報と低輝度情報とにより得られた輝度差に、所定の係数ｋ(ただし０＜ｋ＜１)を乗算して得られた値に相当する段差を有した露出制御値の範囲を設定し、撮像手段を用いて前記露出制御値の範囲内で異なる各露出制御値に設定された複数回の撮像を行うように制御する露出制御手段を備えており、
前記露出制御値の範囲内には、前記複数回の撮像が１回の撮像であった場合に当該１回の撮影で設定される１の露出制御値が含まれる露出制御装置。
【請求項１３】
被写体の輝度情報のうち高輝度情報と低輝度情報とにより得られた輝度差に、所定の係数ｋ(ただし０＜ｋ＜１)を乗算して得られた値に相当する段差を有した露出制御値の範囲を設定する設定工程と、
撮像手段を用いて、前記露出制御値の範囲内で異なる各露出制御値に設定された複数回の撮像を行うように制御する撮像制御工程と、
を備えており、
前記露出制御値の範囲内には、前記複数回の撮像が１回の撮像であった場合に当該１回の撮影で設定される１の露出制御値が含まれる露出制御方法。
【手続補正２】
【補正対象書類名】明細書
【補正対象項目名】発明の名称
【補正方法】変更
【補正の内容】
【発明の名称】撮像装置、撮像制御方法、露出制御装置および露出制御方法
【手続補正３】
【補正対象書類名】明細書
【補正対象項目名】０００１
【補正方法】変更
【補正の内容】
【０００１】
本発明は、被写体に係る撮像画像を生成する撮像装置や、撮像時の露出制御を行う露出制御装置の技術に関する。
【手続補正４】
【補正対象書類名】明細書
【補正対象項目名】０００７
【補正方法】変更
【補正の内容】
【０００７】
本発明の１つの側面は、撮像装置であって、被写体の輝度情報のうち高輝度情報と低輝度情報とにより得られた輝度差に、所定の係数ｋ(ただし０＜ｋ＜１)を乗算して得られた値に相当する段差を有した露出制御値の範囲を設定し、撮像手段を用いて前記露出制御値の範囲内で異なる各露出制御値に設定された複数回の撮像を行うように制御する撮像制御手段と、前記複数回の撮像により前記撮像手段で得られた複数の撮像画像から抽出される画像部分を合成し、合成画像を生成する画像合成手段とを備えており、前記露出制御値の範囲内には、前記複数回の撮像が１回の撮像であった場合に当該１回の撮影で設定される１の露出制御値が含まれる。